(57)【要約】【課題】  狭い場所等に設置されている場合や作業員が一人の場合でも、ガバナなどの機器のメンテナンスを容易に行うことができる機器収容ボックスを提供する。【解決手段】  ボックス本体２０では、その空間部２１にガバナが収容される。側壁部１０の前面には扉３０が脱着可能に設けられている。側壁部１０は４個の側壁部材１１〜１４により構成され、これらを上下方向に積み重ねることにより形成される。最上位の側壁部材１１には天井板１５が一体的に形成されている。側壁部材１１〜１４の上下相互間は連結手段１７により固定されており、ボックス本体２０を分解し、内部のガバナのメンテナンスを行う際には、連結を解除したのち側壁部材１１〜１４を上から順に取り外す。組立の場合には、順序が逆になる。作業員が一人でもガバナボックス１の分解あるいは組立てを容易に行うことができる。【選択図】        図１
2006347559.tif 000002
【特許請求の範囲】
【請求項１】
側壁部が互いに分離可能な複数の側壁部材を上下方向に積み重ねて構成されると共に、内部に機器収容のための空間部を有するボックス本体と、
前記積み重ねられた側壁部材の上下相互間を連結し固定する連結手段と
を備えたことを特徴とする機器収容ボックス。
【請求項２】
前記複数の側壁部材はそれぞれ横方向の断面がコの字型をなし、前記側壁部の一面に開口を有すると共に、前記開口に対応した扉が、前記側壁部に対して脱着可能に設けられている
ことを特徴とする請求項１記載の機器収容ボックス。
【請求項３】
前記最上部の側壁部材には天井板が一体化され、前記空間部に収容された機器の少なくとも側面および上面を囲む
ことを特徴とする請求項１または２に記載の機器収容ボックス。
【請求項４】
前記空間部にはガバナが収容される
ことを特徴とする請求項１ないし３のいずれか１項に記載の機器収容ボックス。
【発明の詳細な説明】
【技術分野】
【０００１】
本発明は、ガバナ（ガス整圧器）などの比較的大きな機器の収容に用いられる機器収容ボックスに関する。
【背景技術】
【０００２】
ガス配管網中に設置されるガバナは安全性あるいは外観性などの観点から収容ボックスに収められている（例えば、特許文献１参照）。このようなガバナに対して、例えば月に１回の圧力計の巡回測定、年に１回のガバナ施設点検、６年に１回のガバナの分解点検等のメンテナンス作業が行われている。
【特許文献１】特開平８−４４４２５
【発明の開示】
【発明が解決しようとする課題】
【０００３】
しかしながら、ガバナが設置される場所としては、一般に、狭い場所、あるいは塀や植込み等の障害物に近接している場所等が多く、このような場所では収容ボックスの扉を開くことが困難である。また、ガバナの分解・点検の場合には、収容ボックス自体がメンテナンス作業の障害となるので収容ボックスを撤去してから作業を行うことが好ましいが、従来の収容ボックスは嵩が高く重量が重いことから、一人の作業は困難であり、撤去または組立てに複数の作業員を要する。すなわち、従来構造の収容ボックスでは、ガバナのメンテナンス作業の効率が悪いという問題があった。
【０００４】
本発明はかかる問題点に鑑みてなされたもので、その目的は、狭い場所等に設置されている場合でも、また、作業員が一人であっても容易に撤去または組立てを行うことができ、ガバナなどの収容機器のメンテナンスの作業効率を向上させることのできる機器収容ボックスを提供することにある。
【課題を解決するための手段】
【０００５】
本発明による機器収容ボックスは、側壁部が互いに分離可能な複数の側壁部材を上下方向に積み重ねて構成されると共に、内部に機器収容のための空間部を有するボックス本体と、積み重ねられた側壁部材の上下相互間を連結し固定する連結手段とを備えたものである。
【０００６】
この機器収容ボックスでは、作業員が、側壁部材相互間の連結を解除したのち、最上位の側壁部材から順に１つずつ取り外すことによって分解される。逆に、最下位の側壁部材から順に１つずつ積み重ねたのち、側壁部材相互を連結させることによりボックスの組立が完了する。
【０００７】
ボックス本体の形状は任意であるが、一般には箱状のものとし、全面に扉を設けることが好ましい。このような場合には、複数の側壁部材をそれぞれ横方向の断面がコの字型をなすようにし、側壁部の一面に開口を設ける。そしてこの開口に対応した扉を側壁部に対して脱着可能に設ければよい。これにより狭い場所等でも開口を全開にすることが可能となる。
【０００８】
更に、本発明では、最上部の側壁部材を天井板が一体化したものとすることが好ましく、これにより空間部に収容された機器の側面および上面を覆うことができ、機器が風雨に曝されるのを防ぐことができる。
【０００９】
本発明では、特に、収容機器がガバナである場合に有効であり、上述のように作業員が一人でもボックス本体を分解してガバナのメンテナンスを行うことが可能である。更に、扉が脱着可能に取り付けられていれば、狭い場所に設置されて扉が開き難くいときでも、扉を外すだけで内部に入ることができるため、簡易的なメンテナンスを容易に行うことができる。
【発明の効果】
【００１０】
本発明の機器収容ボックスによれば、側壁部を分割、すなわち複数の側壁部材により構成し、これを上下方向に積み重ねたのちに相互間を連結して一体化させるようにしたので、狭い場所等に設置されている場合や作業員が一人の場合であっても、分解あるいは組立てを容易に行うことができる。よって、例えばガバナボックスとして用いた場合には、ガバナのメンテナンス作業の効率が著しく向上する。
【発明を実施するための最良の形態】
【００１１】
以下、本発明の実施の形態について、図面を参照して詳細に説明する。
【００１２】
図１は本発明の一実施の形態に係る機器収容ボックス、例えばガバナボックス１の全体構成を表したものである。図２は図１のＡ−Ａ切断線に沿った断面構成を、また、図３は図２のＢ−Ｂ切断線に沿った断面構成をそれぞれ表している。
【００１３】
このガバナボックス１は、ボックス本体２０内の空間部２１にガバナ（図示せず）を収容するものである。ボックス本体２０はその側壁部１０の前面に開口１６を有し、ここに扉３０が設けられている。扉３０は側壁部１０に対して脱着可能となっている。本実施の形態では、この側壁部１０を分割、すなわち複数（ここでは４個）の側壁部材１１，１２，１３，１４により構成し、これらを上下方向に積み重ねて一体化したものである。最上位置の側壁部材１１には天井板１５が一体化されている。すなわち、ボックス本体２０が内部のガバナを覆い、雨などの内部への侵入を阻止するようになっている。
【００１４】
ボックス本体２０は設置台４０上に載置され固定されている。すなわち、側壁部１０のうち最下位位置の側壁部材１４が、この設置台４０の四隅または対向する１組の隅に設けられたガイド４１に嵌合されると共にボルト等により固定されている。この設置台４０自体は孔４２にボルトを通すことにより所定の場所に固定されるようになっている。なお、空間部２１に収容されたガバナに対しては、この設置台４０に設けた開口部４３を介して、配管等（図示せず）が接続されるようになっている。
【００１５】
側壁部材１１〜１４は、軽量化のためには例えばアルミニウムにより形成することが好ましいが、素材は限定されるものではなく、その他の金属や樹脂等でもよい。側壁部材１１〜１４のそれぞれ横方向の断面形状はコの字型であり、これにより側壁部１０に上記開口１６が形成されるようになっている。なお、側壁部材１１〜１４の断面形状はコの字型に限定されるものではなく、内部に収容する機器に応じて変更することができる。
【００１６】
側壁部材１１〜１４の各分離面近傍の内壁には連結手段１７が設けられ、相互間が上下で連結し固定されるようになっている。連結手段１７は、具体的には例えば図３に示したようなフック１７Ａおよび固定金具１７Ｂであり、これにより工具などを用いることなく、側壁部材の上下相互間の脱着を容易に行うことができる。
【００１７】
側壁部材１２〜１４の上端部（例えば、１３Ａ）はＬ字型に成形されており、上層の側壁部材１１〜１３の下端部（例えば、１２Ｂ）が噛合うようになっている。安定した積層が可能となるからである。
【００１８】
側壁部材１１の厚みは他の側壁部材１２〜１４の厚みよりも薄くなっていることが好ましい。天井板１５が設けられている分だけ側壁部材１１の方が他の側壁部材１２〜１４よりも重くなるが、厚みを薄くすることにより、側壁部材１１〜１４の重量を同じくすることができ、脱着の際の作業が容易となるからである。なお、側壁部材１１〜１４の重量は、一人の作業員によって持ち運びができる程度の重量である。
【００１９】
扉３０は、フック状の連結部３１，３１を有しており、例えば、側壁部１０に一体化された差込部１０Ａ，１０Ａに嵌め込むことにより開閉が可能なものとなっている。また、扉３０は施錠部３２を有していることが好ましい。収容した機器（ガバナ）の保全が確保されるからである。扉３０についても上述した理由から、側壁部材１１〜１４と同様の材料により構成されていることが好ましい。
【００２０】
図４はガバナ５０を収容したガバナボックス１の分解手順を表したものである。すなわち、まず、図４（Ａ）に示したように扉３０を取り外す。続いて、側壁部材１１〜１４相互の連結を解除したのち、図４（Ｂ）に示したように上から順に分離して側壁部１０を解体する。図４（Ｃ）に示したようにガバナボックス１が完全に撤去され、ガバナ５０が剥き出しの状態になると、メンテナンス作業が行われる。メンテナンス作業が終わったのちの組立て工程は、以上の分解手順と逆に行われる。
【００２１】
以上のように本実施の形態では、側壁部１０を分割、すなわち４つの側壁部材１１〜１４を上下方向に積み重ねて構成するようにしたので、作業員が一人でもボックス本体２０の分解あるいは組立てを行うことができる。また、側壁部材１１〜１４それぞれに上下相互間を連結し固定するための連結手段１７を設けるようにしているので、工具などを用いることなく、側壁部材１１〜１４の相互間を容易に脱着させることができる。よって、ガバナ５０のメンテナンス作業の効率が著しく向上する。
【００２２】
以上、実施の形態を挙げて本発明を説明したが、本発明は上記実施の形態に限定されるものではなく、機器収容ボックスの具体的構成などは、上記実施の形態と同様の効果を得ることが可能な限りにおいて自由に変形可能である。例えば、側壁部１０の分割数は収容する機器（ガバナ）の高さに応じて増減させることができる。また、上記実施の形態では、ガバナボックス１を設置台４０上に設けるようにしたが、配管が埋設されたコンクリート台上に設置するようにしてもよい。更に、上記実施の形態では、天井板１５を最上位置の側壁部材１１に対して一体化しているが、別体とするようにしてもよい。
【００２３】
また、収容対象はガバナに限らず、その他各種機器に適用できることはいうまでもない。
【図面の簡単な説明】
【００２４】
【図１】本発明の一実施の形態に係るガバナボックスの構成を表す斜視図である。
【図２】図１のＡ−Ａ切断線に沿った断面図である。
【図３】図２のＢ−Ｂ切断線に沿った断面図である。
【図４】ガバナボックスの分解工程を説明するための側面図である。
【符号の説明】
【００２５】
１…ガバナボックス（機器収容ボックス）、１０…側壁部、１０Ａ…差込部、１１〜１４…側壁部材、１５…天井板、１６…開口、１７連結手段、１７Ａ…フック、１７Ｂ…固定金具、２０…ボックス本体、２１…空間部、３０…扉、３１…連結部、３２…施錠部、４０…設置台、４１…ガイド、４２…孔、４３…開口部、５０…機器（ガバナ）
【図１】
2006347559.tif 000003
【図２】
2006347559.tif 000004
【図３】
2006347559.tif 000005
【図４】
2006347559.tif 000006